(57)【特許請求の範囲】
【請求項１】
少なくとも特定部（２４０，２４１）が、輝度のある粒子（４５，４８）が混入された透明な材料によって形成されるケーシング（４）と、
色彩又は模様が表され、前記特定部（２４０，２４１）の裏側に設けられる意匠層（４３，４６）と、
を備える空気調和機（１）の室内機（２）。
【請求項２】
前記特定部（２４０，２４１）は、前面に配置される、
請求項１に記載の空気調和機（１）の室内機（２）。
【請求項３】
前記特定部（２４０，２４１）の表側は概ね平らに形成されている、
請求項２に記載の空気調和機（１）の室内機（２）。
【請求項４】
前記ケーシング（４）は、前記特定部（２４０，２４１）とは別体に形成され不透明な材料から形成されたケーシング本体（２３）を有する、
請求項１から３のいずれかに記載の空気調和機（１）の室内機（２）。
【請求項５】
前記意匠層（４３，４６）には、輝度のある色彩が表される、
請求項１から４のいずれかに記載の空気調和機（１）の室内機（２）。
【請求項６】
ケーシング（４）の少なくとも特定部（２４０，２４１）が、輝度のある粒子（４５，４８）が混入された透明の材料から形成される第１工程（Ｓ１４，１６）と、
色彩又は模様が表された意匠層（４３，４６）が、前記特定部（２４０，２４１）の裏側に施される第２工程（Ｓ１５，１７）と、
を備える空気調和機（１）の室内機（２）の製造方法。
【発明の詳細な説明】
【技術分野】
【０００１】
本発明は、空気調和機の室内機および空気調和機の室内機の製造方法に関する。
【背景技術】
【０００２】
空気調和機の室内機は、熱交換器や送風ファン等の構成部品を備えると共に、室内機の外観を構成するケーシングを備えている（特許文献１）。室内機は居住者等がいる室内に配置されるため、ケーシングは居住者等の視野に入る。このため、ケーシングには色彩や模様等の意匠が施されることが多い。これによって、空気調和機の室内機の美観を向上させることができる。そして、このようなケーシングには、単純な色彩や模様が表されるだけではなく、輝度感のある意匠が表されることもある。
【特許文献１】特開２００２−８９８９２号公報（第４図）
【発明の開示】
【発明が解決しようとする課題】
【０００３】
上記のような輝度感のある意匠が表された空気調和機の室内機の製造方法として、本願発明者は以下のような方法を案出している。まず、ケーシングを透明樹脂などの透明な材料から形成し、パールなどの輝度のある輝度粒子を透明なケーシングの裏側より塗装する。そして、粒子の塗装の後にベース塗装を行う。このような空気調和機の室内機の製造方法により、輝度感のある意匠が表された空気調和機の室内機を製造することができる。
【０００４】
しかし、このような空気調和機の室内機の製造方法では、ベース塗装に加えて輝度粒子の塗装を行う必要があり、輝度感のない通常の塗装を行う空気調和機の室内機と比べると製造工程が増大してしまう。
本発明の課題は、輝度感のある意匠が表された空気調和機の室内機の製造工程を短縮することにある。
【課題を解決するための手段】
【０００５】
請求項１に記載の空気調和機の室内機は、ケーシングと意匠層とを備える。ケーシングは、少なくとも特定部が、輝度のある粒子が混入された透明な材料によって形成される。意匠層は、色彩又は模様が表され、特定部の裏側に設けられる。
この空気調和機の室内機では、ケーシングの少なくとも特定部が、輝度のある粒子が混入された透明な材料によって形成される。このため、空気調和機の室内機の製造工程において、輝度のある粒子をケーシングの裏側から塗装する工程を省略することができる。これにより、輝度感のある意匠が表された空気調和機の室内機の製造工程を短縮することができる。
【０００６】
請求項２に記載の空気調和機の室内機は、請求項１に記載の空気調和機の室内機であって、特定部は、前面に配置される。
この空気調和機の室内機では、特定部は前面に配置される。空気調和機の室内機の前面は、居住者等の視野に特に入り易い位置である。従って、輝度感のある意匠が表された特定部が前面に配置されることによって、空気調和機の室内機の美観をより向上させることができる。
【０００７】
請求項３に記載の空気調和機の室内機は、請求項２に記載の空気調和機の室内機であって、特定部の表側は概ね平らに形成されている。
この空気調和機の室内機では、特定部の表側は概ね平らに形成されている。このため、平らな形状と輝度感のある意匠とによって、空気調和機の室内機の美観をより向上させることができる。
【０００８】
請求項４に記載の空気調和機の室内機は、請求項１から３のいずれかに記載の空気調和機の室内機であって、ケーシングは、特定部とは別体に形成され不透明な材料から形成されたケーシング本体を有する。
この空気調和機の室内機では、ケーシングは、輝度感のある意匠が表された特定部とは別体に形成されるケーシング本体を有し、このケーシング本体は、不透明な材料から形成される。ケーシングの全ての部分を透明な材料によって形成した場合には、材料に必要なコストが増大する恐れがある。しかし、この空気調和機の室内機は、不透明な材料によって形成されるケーシング本体と、透明な材料によって形成される特定部とを有するため、空気調和機の室内機の美感を向上させると共にコストを抑えることができる。
【０００９】
請求項５に記載の空気調和機の室内機は、請求項１から４のいずれかに記載の空気調和機の室内機であって、意匠層には、輝度のある色彩が表される。
この空気調和機の室内機では、意匠層には輝度のある色彩が表される。このため、透明な材料に混入された輝度のある粒子と、意匠層の輝度のある色彩とが重なることによって、輝度感をより高めることができる。
【００１０】
請求項６に記載の空気調和機の室内機の製造方法は、第１工程と第２工程とを備える。第１工程では、ケーシングの少なくとも特定部が、輝度のある粒子が混入された透明の材料から形成される。第２工程では、色彩又は模様が表された意匠層が、特定部の裏側に施される。
この空気調和機の室内機の製造方法では、ケーシングの少なくとも特定部が、輝度のある粒子が混入された透明な材料によって形成される。このため、輝度のある粒子をケーシングの裏側から塗装する工程を省略することができる。これにより、輝度感のある意匠が表された空気調和機の室内機の製造工程を短縮することができる。
【発明の効果】
【００１１】
請求項１に記載の空気調和機の室内機では、ケーシングの少なくとも特定部が輝度のある粒子が混入された透明な材料によって形成されるため、輝度のある粒子をケーシングの裏側から塗装する工程を省略することができる。これにより、輝度感のある意匠が表された空気調和機の室内機の製造工程を短縮することができる。
請求項２に記載の空気調和機の室内機では、特定部が、特に居住者等の視野に入り易い前面に配置されることによって、空気調和機の室内機の美観をより向上させることができる。
【００１２】
請求項３に記載の空気調和機の室内機では、平らな形状と輝度感のある意匠とによって、空気調和機の室内機の美観をより向上させることができる。
請求項４に記載の空気調和機の室内機は、不透明な材料によって形成されるケーシング本体と、透明な材料によって形成される特定部とを有するため、空気調和機の室内機の美感を向上させると共にコストを抑えることができる。
【００１３】
請求項５に記載の空気調和機の室内機では、透明な材料に混入された輝度のある粒子と、意匠層の輝度のある色彩とが重なることによって、輝度感をより高めることができる。
請求項６に記載の空気調和機の室内機の製造方法では、ケーシングの少なくとも特定部が輝度のある粒子が混入された透明な材料によって形成されるため、輝度のある粒子をケーシングの裏側から塗装する工程を省略することができる。これにより、輝度感のある意匠が表された空気調和機の室内機の製造工程を短縮することができる。
【発明を実施するための最良の形態】
【００１４】
〔空気調和機の全体構成〕
本発明の第１実施形態にかかる空気調和機１の構成および冷媒回路の概略を図１に示す。
この空気調和機１は、室内の壁面などに取り付けられる室内機２と、室外に設置される室外機３とを備えている。
【００１５】
この空気調和機１の冷媒回路は、主として室内熱交換器２０、アキュムレータ３１、圧縮機３２、四路切換弁３３、室外熱交換器３０および電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するための室内ファン２１が設けられている。室内ファン２１は、室内機２内に設けられる室内ファンモータ２２によって回転駆動される。そして、これらの構成部品は、室内機ケーシング４に収容される。室内機ケーシング４については、後に詳細に説明する。
【００１６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００１７】
〔室内機ケーシングの構成〕
図２（ａ）に室内機２の正面図、図２（ｂ）に室内機２の側面断面図を示す。図２（ａ）と図２（ｂ）とは、運転停止時の室内機２を示している。
室内機２は、室内の側壁に設けられる壁掛け型の室内機２であり、室内機ケーシング４を備える。室内機ケーシング４は、ケーシング本体２３と、ケーシング本体２３とは別体に形成された前面パネル２４とを備える。
【００１８】
［ケーシング本体］
ケーシング本体２３は、不透明な樹脂材料から成型されており、薄型の直方体形状を有する。ケーシング本体２３は、正面視において水平方向に長い略長方形の形状を有し、側面視において鉛直方向に長い略長方形の断面形状を有する。ケーシング本体２３内には、上述した室内熱交換器２０、室内ファン２１、室内ファンモータ２２（図示せず）などが備えられている。図２（ｂ）に示すように、側面視において、室内ファン２１がケーシング本体２３の中央に配置され、逆Ｖ字型の形状を有する室内熱交換器２０が室内ファン２１の上半分を囲むように配置されている。また、ケーシング本体２３には吸込み口２５と吹出し口２６とが設けられている。
【００１９】
吸込み口２５は、室内ファン２１によって室内からケーシング本体２３内へと取り込まれる空気が通る開口であり、第１吸込み口２７と第２吸込み口２８とがある。第１吸込み口２７は、正面視において水平方向に長い形状を有し、その長さはケーシング本体２３の幅Ｗよりも若干小さい。第1吸込み口２７は、図２（ｂ）に示すように、ケーシング本体２３の前面の中央付近に設けられ、室内熱交換器２０の前面側と対向している。第１吸込み口２７は、室内機２の運転停止時には、後述する前面パネル２４の第２パネル２４１によって閉じられている。第２吸込み口２８は、ケーシング本体２３の長手方向に長い複数のスリットによって構成されており、ケーシング本体２３の天面に設けられている。
【００２０】
吹出し口２６は、室内ファン２１によって室内熱交換器２０を通り室内へと吹出される空気が通る開口である。正面視において水平方向に長い形状を有し、その長さはケーシング本体２３の幅Ｗよりも若干小さい。また、吹出し口２６はケーシング本体２３の下部近傍であって、ケーシング本体２３の前面に設けられている。室内機２の運転停止時には、吹出し口２６は、後述する前面パネル２４の第１パネル２４０によって閉じられている。
【００２１】
また、吹出し口２６近傍には水平フラップ２９が設けられている。水平フラップ２９は、室内機２の長手方向に長い形状を有する板状の部材であり、吹出し口２６から吹き出される空気を案内する。水平フラップ２９は、室内機２の長手方向に平行な回転軸を有しており、回転軸を中心に回転することにより、空気の案内方向を変更する。
［前面パネル］
前面パネル２４は、ケーシング本体２３の前面の略全体を覆う。前面パネル２４は、正面視において吹出し口２６と第1吸込み口２７とを覆い、吹出し口２６と第1吸込み口２７とを開閉する。前面パネル２４は、継目の無い複数のパネル２４０−２４１が集合したパネル集合体であり、第１パネル２４０と第２パネル２４１と第３パネル２４２とを有している。
【００２２】
第１パネル２４０は、ケーシング本体２３の前面の下方に配置されている。第１パネル２４０は、図示しない移動機構によって上下方向に平行移動可能に支持されており、吹出し口２６を開閉する。第１パネル２４０は、継目を有さない長方形の平板状の部材であり、正面視におけるケーシング本体２３の幅Ｗと略同じ幅を有する。第１パネル２４０の表側は、凹凸および穴やスリットなどの開口部のない滑らかな概ね平坦な形状に形成されている。この第１パネル２４０は、吹出し口２６を閉じた状態においては、図２（ｂ）のように、鉛直方向に平行な状態となる。また、この状態では、第１パネル２４０は、正面視において吹出し口２６よりも大きな投影面積を有する。従って、第１パネル２４０は、吹出し口２６を閉じた状態においては、吹出し口２６を含むケーシング本体２３の前面の下方を完全に覆う。また、第１パネル２４０は、図３（ａ）に示すように、パール粒子などの輝度を有する粒子４５が混入された透明樹脂によって成型されており、粒子４５が混入された透明樹脂層４４を有している。そして、透明樹脂層４４の裏側には、色彩や模様等が表された塗料層４３が設けられている。この塗料層４３は、第１パネル２４０の裏側から塗装を施すことによって形成される。なお、図３（ａ）は、第１パネル２４０の側面断面の拡大図である。
【００２３】
第２パネル２４１は、ケーシング本体２３の前面の上方に配置されている。第２パネル２４１は、図示しない移動機構によって移動可能に支持されており、第１吸込み口２７を開閉する。第２パネル２４１は、継目を有さない長方形の平板状の部材であり、正面視において第１吸込み口２７を含むケーシング本体２３の幅Ｗと略同じ幅を有する。第２パネル２４１の表側は、凹凸および穴やスリットなどの開口部のない滑らかな概ね平坦な形状に形成されている。この第２パネル２４１は、第１吸込み口２７を閉じた状態においては、図２（ｂ）のように、鉛直方向に平行な状態となる。また、第２パネル２４１は、正面視において第１吸込み口２７よりも大きな投影面積を有する。従って、第２パネル２４１は、第１吸込み口２７を閉じた状態においては、第１吸込み口２７を含むケーシング本体２３の前面の上半分を完全に覆う。また、第２パネル２４１は、図３（ｂ）に示すように、パール粒子などの輝度を有する粒子４８が混入された透明樹脂によって成型されており、粒子４８が混入された透明樹脂層４７を有している。そして、透明樹脂層４７の裏側には、色彩や模様等が表された塗料層４６が設けられている。この塗料層４６は、第２パネル２４１の裏側から塗装を施すことによって形成される。なお、図３（ｂ）は、第２パネル２４１の側面断面の拡大図である。
【００２４】
第３パネル２４２は、第１パネル２４０と第２パネル２４１との間に配置されている。第３パネル２４２は、正面視において継目を有さない長方形の形状を有している。第３パネル２４２は、室内機２と略同じ幅Ｗを有し、上下方向に第１パネル２４０と略同じ長さを有する。第３パネル２４２の表側は、凹凸および穴やスリットなどの開口部のない滑らかな概ね平坦な形状に形成されている。第３パネル２４２は、図４（ａ）に示すように、左右端部近傍がケーシング本体２３の左右の側面にそれぞれ固定されており、第３パネル２４２の前面部分がケーシング本体２３に対して前後方向に隙間を隔てるように配置されている。すなわち、第３パネル２４２の後方には、ケーシング本体２３との間に隙間が形成されている。この隙間は、下方に配置された第１パネル２４０の厚さよりも僅かに大きく形成されており、吹出し口２６を開くために移動する第１パネル２４０を収容する空間となっている。また、第３パネル２４２は、不透明な樹脂材料から成型されている。
【００２５】
このように、第１パネル２４０は、吹出し口２６を閉じた状態においては、吹出し口２６を含むケーシング本体２３の前面の下方を完全に覆い、第２パネル２４１は、第１吸込み口２７を閉じた状態においては、第１吸込み口２７を含むケーシング本体２３の前面の上方を完全に覆う。また、第１パネル２４０、第２パネル２４１および第３パネル２４２は、上下に並んで配置されており、吹出し口２６および第１吸込み口２７が閉じられた状態では、略平坦な長方形の平面を構成するように配置される。第１パネル２４０、第２パネル２４１および第３パネル２４２によって構成される前面パネル２４は、吹出し口２６および第１吸込み口２７が閉じられた状態では室内機２の前面の略全体を覆い、第１パネル２４０、第２パネル２４１および第３パネル２４２の境目にできる継目のみが正面視において表れる。すなわち、第１パネル２４０と第３パネル２４２との境目および第２パネル２４１と第３パネル２４２との境目によって形成される水平方向に延びる継目のみが正面視において表れる。さらに、第１パネル２４０、第２パネル２４１および第３パネル２４２は鉛直方向に平行となっており、前面パネル２４は、吹出し口２６および第１吸込み口２７を閉じた状態において、鉛直方向に平行な平坦面を形成している。この空気調和機１の室内機２では、前面パネル２４がこのような平坦な形状とされることにより、美観が向上している。
【００２６】
［運転開始時の前面パネルの動作］
室内機２が停止している場合、前面パネル２４は上記のように吹出し口２６と第1吸込み口２７とを閉じた状態となっている。室内機２が運転を行う場合、まず、室内ファン２１が低回転で起動される。次に、第１パネル２４０および第２パネル２４１が移動して吹出し口２６および第１吸込み口２７が開かれる。これにより、室内機２へ取り込まれる空気の風量が確保されると共に、水平方向への空気の吹き出しが行われる。以下、前面パネル２４の動作を図４（ａ）、図４（ｂ）および図４（ｃ）に基づいて説明する。なお、図４（ａ）、図４（ｂ）および図４（ｃ）は、室内機２の側面図である。
【００２７】
室内機２が運転を停止している状態では、第１パネル２４０および第２パネル２４１は、吹出し口２６および第１吸込み口２７を閉じており、図４（ａ）に示すように、第１パネル２４０、第２パネル２４１および第３パネル２４２は、鉛直方向に平行に側面視において略一直線上に並ぶように配置されている。また、第１パネル２４０、第２パネル２４１および第３パネル２４２の表側は略平坦になっている。
【００２８】
室内機２が運転を開始すると、第１パネル２４０および第２パネル２４１が移動して、吹出し口２６および第１吸込み口２７が開かれる。
図４（ｂ）に示すように、第１パネル２４０は、鉛直方向上向きに平行移動して吹出し口２６を開く。第１パネル２４０が鉛直方向上向きに移動すると、第１パネル２４０の上端が第３パネル２４２の後方の隙間に挿入される。第１パネル２４０がさらに上方へと移動すると、図４（ｃ）に示すように、第１パネル２４０が、第３パネル２４２とケーシング本体２３との間の隙間に収容され、第３パネル２４２の後方に隠れた状態となる。すなわち、第１パネル２４０の略全体が、第３パネル２４２に重なった状態となる。
【００２９】
また、このような第１パネル２４０の移動にリンクして第２パネル２４１も移動する。図４（ｂ）に示すように、第２パネル２４１は、前方へと移動すると共に、正面視における左右方向に平行な軸を中心に回動する。第２パネル２４１は、その下端近傍を中心にして、上端が前方へ向けて傾斜するように回動する。第２パネル２４１は、図４（ｃ）に示すように、さらに移動してケーシング本体２３と第２パネル２４１との間に隙間が形成される。これにより、第１吸込み口２７が開かれる。そして、第２パネル２４１の上端とケーシング本体２３との間の隙間から空気が吸込まれ、第１吸込み口２７からケーシング本体２３内に空気が吸込まれる。
【００３０】
前面パネル２４が移動して吹出し口２６と第１吸込み口２７とが開かれると、水平フラップ２９（図２参照）が、設定された運転モードに対応した吹出し角度となるように回転移動する。
また、室内機２の運転停止時には、第１パネル２４０および第２パネル２４１が上記と逆に移動することによって、平坦な状態へと戻る。
【００３１】
〔空気調和機の室内機の製造方法〕
次に、上記の空気調和機１の室内機２の製造方法について説明する。
この空気調和機１の室内機２の製造方法は、図５に示すように、主として、室内機ケーシング４の製造工程Ｓ１、他の構成部品の製造工程Ｓ２および組立工程Ｓ３を備える。
室内機ケーシング４の製造工程Ｓ１は、図６に示すように、ケーシング本体２３の製造工程Ｓ１０、第１パネル２４０の製造工程Ｓ１１、第２パネル２４１の製造工程Ｓ１２および第３パネル２４２の製造工程Ｓ１３を有している。
【００３２】
ケーシング本体２３の製造工程Ｓ１０では、ケーシング本体２３が、複数の成型部品が組み立てられて製造される。成型部品は、それぞれ不透明な樹脂材料から成型されている。
第１パネル２４０の製造工程Ｓ１１は、第１パネル２４０の成型工程Ｓ１４と塗装加工工程Ｓ１５とから構成されている。第１パネル２４０の成型工程Ｓ１４では、パール等の輝度を有する粒子４５が混入された透明の樹脂材料から第１パネル２４０が成型され、輝度感のある透明な第１パネル２４０が製造される。第１パネル２４０の塗装加工工程Ｓ１５では、第１パネル２４０に隠蔽処理を兼ねたベース色塗装が行われる。この塗装加工工程Ｓ１５では、第１パネル２４０の裏側からベース色の塗装が施され、塗料が第１パネル２４０の裏側の全体に塗布される。この塗装加工工程Ｓ１５によって、色彩や模様が表された塗料層４３が第１パネル２４０の裏側に密着して設けられる。
【００３３】
第２パネル２４１の製造工程Ｓ１２は、第２パネル２４１の成型工程Ｓ１６と塗装加工工程Ｓ１７とから構成されている。第２パネル２４１の成型工程Ｓ１６では、第１パネル２４０の成型工程Ｓ１４と同様に、パール等の輝度を有する粒子４８が混入された透明の樹脂材料から第２パネル２４１が成型され、輝度感のある透明な第２パネル２４１が製造される。第２パネル２４１の塗装加工工程Ｓ１７では、第２パネル２４１に隠蔽処理を兼ねたベース色塗装が行われる。この塗装加工工程Ｓ１７では、第１パネル２４０の塗装加工工程Ｓ１５と同様に、第２パネル２４１の裏側からベース色の塗装が施され、塗料が第２パネル２４１の裏側の全体に塗布される。この塗装加工工程Ｓ１７によって、色彩や模様が表された塗料層４６が第２パネル２４１の裏側に密着して設けられる。
【００３４】
なお、第１パネル２４０や第２パネル２４１を成型するために使用される透明な樹脂材料としては、例えば、透明なＡＢＳやポリスチレンなどが使用される。また、輝度を有する粒子４５，４８としては、パール粒子の他に、ガラス粒子やメタリック粒子などが使用される。さらに、塗装加工に代えて、第１パネル２４０や第２パネル２４１の裏側に印刷を行う印刷加工や意匠が施されたフィルムの貼付などが行われてもよい。
【００３５】
第３パネル２４２の製造工程Ｓ１３では、第３パネル２４２が、不透明な樹脂材料から成型される。
また、図５に示す、他の構成部品の製造工程Ｓ２では、上記の室内熱交換器２０、室内ファン２１、各種のフィルタなどの室内機２の他の構成部品がそれぞれ製造される。
組立工程Ｓ３では、ケーシング本体２３、第１パネル２４０、第２パネル２４１、第３パネルが組み合わされて室内機ケーシング４が組み立てられる。また、室内機ケーシング４の内部に上記の構成部品が収容されて、室内機２が完成する。
【００３６】
〔特徴〕
（１）
この空気調和機１の室内機２では、透明な樹脂材料で形成された第１パネル２４０や第２パネル２４１の裏側に、色彩や模様が表された塗料層４３，４６が設けられる。このため、この空気調和機１の室内機２では、色彩や模様等の意匠が、第１パネル２４０や第２パネル２４１の透明樹脂層４４，４７を通して外観上に表れる。また、第１パネル２４０や第２パネル２４１の基材となる透明樹脂には、輝度を有する粒子４５，４８が混入されている。このため、室内機２の外観に輝度感のある意匠が表れ、美観が向上する。
【００３７】
そして、このような輝度感のある意匠は、第１パネル２４０や第２パネル２４１に粒子４５，４８を塗装するのではなく、粒子４５，４８が混入された透明樹脂を用いて第１パネル２４０や第２パネル２４１を成型することによって、第１パネル２４０や第２パネル２４１に表される。このため、第１パネル２４０の製造工程Ｓ１１や第２パネル２４１の製造工程Ｓ１１において、粒子４５，４８を塗装するための工程を省略することができる。従って、少ない製造工程で、輝度感のある意匠が施された第１パネル２４０や第２パネル２４１を仕上げることができる。
【００３８】
（２）
上記のように輝度のある粒子４５，４８を用いることによって、第１パネル２４０や第２パネル２４１に輝度感のある意匠を施すことができるが、第１パネル２４０や第２パネル２４１の裏側に塗装されるベース色としてシルバーなどの輝度感のある色彩を用いることによって、輝度感をさらに向上させることができる。すなわち、粒子４５，４８による輝度感と塗料層４３，４６による輝度感とが重なることによって、さらに輝度感の高い意匠を室内機２に表すことができる。
【００３９】
（３）
この空気調和機１の室内機２では、ケーシング本体２３を不透明な樹脂材料から成型し、第１パネル２４０と第２パネル２４１とを粒子４５，４８が混入された透明な樹脂材料から成型してその裏側に塗装を施している。すなわち、室内機２の前面に配置され居住者等の目に触れ易い第１パネル２４０および第２パネル２４１の美観を特に向上させる一方、ケーシング本体２３を比較的コスト低く製造することができる不透明な樹脂材料から成型している。このため、室内機２の美観を向上させると共に、室内機２全体のコストの上昇を抑えることができる。
【００４０】
〔他の実施形態〕
上記の実施形態では、第１パネル２４０および第２パネル２４１が、粒子４５，４８が混入された透明な樹脂材料によって成型されているが、第１パネル２４０および第２パネル２４１の一部のみが、粒子４５，４８が混入された透明な樹脂材料によって成型されてもよい。また、第１パネル２４０および第２パネル２４１以外の部分、あるいは、室内機ケーシング４全体が粒子４５，４８が混入された透明な樹脂材料によって成型されてもよい。ただし、上述したように、コストの抑制の観点からは、第１パネル２４０および第２パネル２４１のみが、粒子４５，４８が混入された透明な樹脂材料によって成型されることが望ましい。
【産業上の利用可能性】
【００４１】
本発明は、輝度感のある意匠が表された空気調和機の室内機の製造工程を短縮する効果を有し、空気調和機の室内機として有用である。
【図面の簡単な説明】
【００４２】
【図１】空気調和機の構成および冷媒回路の概略を示す図。
【図２】（ａ）室内機の正面図、（ｂ）室内機の側面断面図。
【図３】（ａ）第１パネルの側面断面の拡大図、（ｂ）第２パネルの側面断面の拡大図。
【図４】運転開始時の前面パネルの動作を示す室内機の側面図。
【図５】空気調和機の室内機の製造方法を示すフロー。
【図６】室内機ケーシングの製造方法を示すフロー。
【符号の説明】
【００４３】
１          空気調和機
２          室内機
４          室内機ケーシング（ケーシング）
２３        ケーシング本体
４３，４６  塗料層（意匠層）
４５，４８  粒子
２４０      第１パネル（特定部）
２４１      第２パネル（特定部）
Ｓ１４      第１パネルの成型工程（第１工程）
Ｓ１５      第１パネルの塗装加工工程（第２工程）
Ｓ１６      第２パネルの成型工程（第１工程）
Ｓ１７      第２パネルの塗装加工工程（第２工程）
【図１】
0003641721.tif 000002
【図２】
0003641721.tif 000003
【図３】
0003641721.tif 000004
【図４】
0003641721.tif 000005
【図５】
0003641721.tif 000006
【図６】
0003641721.tif 000007